(57)【特許請求の範囲】
【請求項１】
裏面に粘着剤を塗布して配送物に貼着される貼付票と、前記貼付票の粘着剤塗布面を剥離可能に覆う剥離台紙とを少なくとも備え、
前記貼付票は表面側に配送情報記入部を有するとともに、該配送情報記入部の上下に上辺と下辺とに沿って一方の側辺に及ぶ切り取り用ミシン目を設け、
前記剥離台紙には、表面側に貼付票の配送情報記入部に対応する配送情報記入部を有した受取票が、上記切り取り用ミシン目より上下辺側に対応位置して上記一方の側辺に及ぶ横線部と該横線部に連続する縦線部とからなる略コ字状の半切れ線に囲まれて区画形成され、
受取票の配送情報記入部は、貼付票の配送情報記入部側からの記入情報が同時複写される複写構成を備えていて、
前記剥離台紙における前記受取票の周りとなる前記半切れ線より外方の部分を取り除いたときに、前記受取票が前記切り取り用ミシン目の下位に位置した状態で貼付票の前記粘着剤塗布面に剥離可能に残存する構成としたことを特徴とする配送伝票。
【発明の詳細な説明】
【０００１】
【産業上の利用分野】
本発明は配送伝票、特に配送物受取人側から受領確認を得るための受取票を備える配送伝票に関するものである。
【０００２】
【従来の技術】
従来、配送物を配送する業務において利用される配送伝票は、依頼人控え、発店控え、業務控え、受取控えなどの複数の帳票を組み合わせてなるものである。図７と図８はその配送伝票１を示している。上位から、依頼人控票２、取扱店控票３、配送業務控票４，５、受取票６、貼付票７とが分離可能に綴じ合わされているものであって、各帳票は上位側から記載された情報が下位に同時複写される複写構成を備えているものであり、各帳票に設けれた配送情報記入部２ａ，３ａ，４ａ，５ａ，６ａ，７ａそれぞれに対しては、最上位の帳票、図示の例では依頼人控票２の配送情報記入部２ａに記載した配送情報、依頼人住所氏名、受取人住所氏名、配送物名などの情報が同時複写されるように設けられている（帳票の用途により不必要な項目に関して複写されない情報もある）。
【０００３】
上述のようにして所要の配送情報が記載された配送伝票１は依頼人控票などを抜取り配送物に貼り付けられることになる。この配送物への貼着を行うため、上記配送伝票１では貼付票７の裏面に粘着剤８が塗布されていて、これを剥離紙９が剥離可能に覆っており、必要時に剥離紙９を剥ぎ取って配送伝票１を配送物に貼り付けることになる。そして、配送過程において配送伝票１から所定の帳票（例えば配送業務控票４，５）が抜き取られ、受取人との受け渡しに際して受取票６を外し、これに受領印を得て回収するようにしていており、配送物には貼付票７が貼り付けられた状態となる。
【０００４】
【発明が解決しようとする課題】
ところで、上記配送伝票では剥離紙を含めて七枚からなる構成を有しているが、その剥離紙自体は控票としての役割を成すものではなく、配送物に配送伝票を貼り付ける際に剥ぎ取った以降は何ら利用されず廃棄されて不経済なものであり、配送伝票の素材コストを引き上げるという問題があった。
【０００５】
そこで本発明は上記事情に鑑み、貼付票の粘着剤を覆う素材を配送過程での帳票として利用できるようにして、配送伝票を構成している帳票数を削減することを課題とし、低コストにて配送伝票を得ることを目的とする。
【０００６】
【課題を解決するための手段】
本発明は上記課題を考慮してなされたもので、裏面に粘着剤を塗布して配送物に貼着される貼付票と、前記貼付票の粘着剤塗布面を剥離可能に覆う剥離台紙とを少なくとも備え、前記貼付票は表面側に配送情報記入部を有するとともに、該配送情報記入部の上下に上辺と下辺とに沿って一方の側辺に及ぶ切り取り用ミシン目を設け、前記剥離台紙には、表面側に貼付票の配送情報記入部に対応する配送情報記入部を有した受取票が、上記切り取り用ミシン目より上下辺側に対応位置して上記一方の側辺に及ぶ横線部と該横線部に連続する縦線部とからなる略コ字状の半切れ線に囲まれて区画形成され、受取票の配送情報記入部は、貼付票の配送情報記入部側からの記入情報が同時複写される複写構成を備えていて、前記剥離台紙における前記受取票の周りとなる前記半切れ線より外方の部分を取り除いたときに、前記受取票が前記切り取り用ミシン目の下位に位置した状態で貼付票の前記粘着剤塗布面に剥離可能に残存する構成としたことを特徴とする配送伝票を提供して、上記課題を解消するものである。
【０００７】
【作用】
本発明において、貼付票側から記載により配送情報が貼付票下位の受取票の配送情報記入部に同時複写され、またその受取票は、貼付票の裏面側に位置する剥離台紙中に半切れ線で囲まれたものであって、この受取票が必要時に貼付票から剥離可能になっている。
【０００８】
【実施例】
つぎに本発明を図１から図６に示す一実施例に基づいて詳細に説明する。なお、図７と図８に示す従来例と構成が重複する部分は同符号を付してその説明を省略する。
配送伝票１は図１と図２に示すように上位側から、依頼人控票２、取扱店控票３、配送業務控票４，５が同一辺側にて綴じ合わされており、その綴じ合わせ部１０に沿って穿設された切り取り用ミシン目１１により前記各帳票２，３，４，５が分離可能とされている。この点は従来の構成と同様である。そして本発明の配送伝票１では前記綴じ合わせ部１０が、前記帳票より横長に形成された貼付票７の表面上に綴じ合わされていて、各帳票２，３，４，５および貼付票７の配送情報記入部２ａ，３ａ，４ａ，５ａ，７ａが帳票重ね合わせ状態において上下方向に重なり合うように配置され、最上位の依頼人控票２の配送情報記入部２ａに記載された情報が下位の各帳票３，４，５，７の配送情報記入部３ａ，４ａ，５ａ，７ａそれぞれに同時複写される複写構成を有している。
【０００９】
図２、３、５に示されているように上記貼付票７の裏面に塗布された粘着剤８は、表面全面が剥離剤１２で処理された剥離台紙１３により剥離可能に覆われている。そして図１および図４に示されるように、貼付票７の配送情報記入部７ａの上下には、貼付票７の上辺７ｂおよび下辺７ｃに沿って切り取り用ミシン目１４が下位の剥離台紙１３に達しない状態で穿設されており、この切り取り用ミシン目１４は綴じ合わせ部１０との対応部分近傍から配送情報記入部７ａの上下を通り、綴じ合わせ部対応部分と対向する一方の側辺、即ち右側辺７ｄまで設けられている。
一方、粘着剤８を剥離可能に覆う前記剥離台紙１３においては、上述したように基材１５に剥離剤１２を塗布したものであり、その基材１５の表面において上位の各帳票の配送情報記入部と同位置に配送情報記入部１６ａを有する受取票１６が分離可能にして区画形成されている。即ち、前記剥離台紙１３に対しては、配送情報記入部１６ａを囲むようにした略コ字型状の半切れ線１７が貼付票７に達しない状態にして入れられていて、その半切れ線１７は、配送情報記入部１６ａの上下において上記切り取り用ミシン目１４との対応位置より剥離台紙１３の上辺１３ａおよび下辺１３ｂに寄り、かつ上記貼付票７の右側辺７ｄと対応する剥離台紙１３の右側辺１３ｃに及ぶ横線部１７ａとこの横線部１７ａに連続する縦線部１７ｂとからなるものである。このようにして受取票１６は略コ字状とした半切れ線１７により、この受取票１６の周りの剥離台紙１３とは係わりなく単独に貼付票７から剥離させることができる。
【００１０】
上記剥離台紙１３の基材１５は自己発色機能を有するものであって、上記受取票１６の配送情報記入部１６ａへは、上位の帳票の配送情報記入部に記載された情報が同時複写されるようになる。即ち、受取票１６の配送情報記入部１６ａにおいても上記各帳票と同様に複写構成を有している。このように受取票１６の配送情報記入部１６ａに対しても配送情報が同時複写されることから、後述するように受取票１６を取り外し、配送情報記入部１６ａに記載されている配送情報に基づいて業務管理が行える点において、従来の配送伝票における受取票と同様に取り扱えるものである。
【００１１】
また上記受取票１６の剥離剤１２による処理面は、受領印やサインを受ける場合を考慮してインキ受容性、筆記性を有するように設けられている。その例としては水系剥離剤があり、水分散系剥離剤、水溶性剥離剤などの水系剥離剤であればよく、特に限定されるものではない。例えば水系シリコン剥離剤として、各種の水溶性シリコンオイル（信越化学株式会社製  ＫＦ３５１、ＫＦ３５２、ＫＦ３５３など）、シリコンオイルエマルジョン（信越化学株式会社製  ＫＭ７００、ＫＭ８００シリーズなど）、シリコンゴムエマルジョン（高松油脂株式会社製  ＫＴ７０１４）を挙げることができ、また非シリコン系水溶性剥離剤としてワーナー型クロム錯塩を主体とする撥水剤（デュポン株式会社製  キロンｃ）、その他、日本触媒株式会社製のＲＰ−１８ｗなどを挙げることができる。
上記水系剥離剤は水溶性高分子が配合されるものであり、その水溶性高分子としては天然物でも合成物でも或いはそれらの混合物でもよく、例えばポリビニルアルコール（ＰＶＣ）、カルボキシメチルセルロース（ＣＭＣ）、ヒドロキシエチルセルロース（ＨＥＣ）、カゼイン、澱粉などを挙げることができる。その水溶性高分子の添加量は、水系剥離剤の種類などによって異なるので特定することができないが、通常は水系剥離剤：水溶性高分子の比率が２０：１〜１：１０（固形分重量比）の範囲で使用できる。
【００１２】
また剥離剤として剥離性インキを使用することができる。そしてこの剥離性インキを着色物質と剥離物質とが含まれているものとすることも可能であり、このインキを印刷手法などを用いて塗布することにより、着色された剥離剤面をシート本体の片面側に形成することができるようになる。前記剥離性インキとしては、ビヒクルと着色物質と剥離物質と助剤とが含有され、前記ビヒクルは乾性油、合成樹脂、溶剤、可塑剤などからなるものであり、着色物質は有機顔料、無機顔料である。そして剥離物質としてはシリコン、ロウ、水溶性高分子化合物、水溶性シリコンなどが採用され、助剤としては乾燥剤、コンパウンドなどが採用される。そしてこれらの配合例としてはビヒクル７０重量％、着色物質１０重量％、剥離物質１５重量％、助剤５重量％が好適であり、前記剥離物質は５重量％から３５重量％の範囲とされている。
【００１３】
受領印を受けるためのインキ受容性をさらに良好とする場合には、受取票１６の所要位置に設けられた捺印欄１８に対して、印インクを安定して保持できるように、極めて微細なマット処理からなる捺印受理処理を施したり、シリカ、炭酸カルシウムなどの受理層を設けたりすればよく、そのために、貼付票７の粘着剤８に対する剥離性が低下するような場合には、捺印欄１８に対応する粘着剤８を塗布しないようにすればよい。
【００１４】
自己発色性を有する剥離台紙１３の基材１５は、例えば電子供与性の無色の有機化合物などを油に溶かし、ゼラチンの微小カプセルに包み込んだものを、一枚の紙の表面に塗工するとともに、この電子供与性発色剤と反応して発色反応を起こすことのできる電子受容性の鉱物を同一表面に塗布した構成を有するものである。
【００１５】
上記構造の配送伝票１の使用方法はつぎのようになる。まず、依頼人が、配送伝票１の最上位の依頼人控票２の配送情報記入部２ａに配送情報を記入し、この記入により下位の全ての帳票における配送情報記入部に前記配送情報が同時複写される。勿論、最下位となっている剥離台紙１３中の受取票１６の配送情報記入部１６ａに対しても配送情報が複写されることになる。この後、配送物の取扱店にて依頼人控票２、取扱店控票３が取り外されるとともに、剥離台紙１３における受取票１６以外の台紙部分１９が取り除かれ、表出した粘着剤８を介して配送伝票１を配送物に貼着する。
そして、配送物の配送過程において配送業務控票４，５が取り外され、受取人との配送物の受け渡しとなる段階で上記受取票１６が取り外され、必要に応じてその表面に受領印などを受けることになる。前記受取票１６の取り外しに際しては、図６に示すように貼付票７の右側辺７ｄの中央部などを持って捲り返すようにすれば、上下の切り取り用ミシン目１４それぞれが切断して受取票１６が現れ、半切れ線１７の縦線部１７ｂなどから前記受取票１６を剥ぎ取るようにしてこの受取票１６を取り外すようにする。
【００１６】
上述したように配送伝票１は配送物に貼着する際には剥離台紙１３の台紙１９だけを取り外しているため、貼付票７における受取票１６が位置している部分は配送物に貼着されない。また、図４と図５に示すように受取票１６を台紙１９の部分と区画している半切れ線１７の上下横線部１７ａが切り取り用ミシン目１４の対応位置より上下の辺１３ａ、１３ｂ側に位置して切り取り用ミシン目１４の下位に受取票１６が位置しているため、その貼付票７を右側辺７ｄから捲り上げた際に切り取り用ミシン目１４が極めて簡単に切断されるようになる。
上記受取票１６を剥ぎ取った後は、捲り上げた貼付票７の裏面に粘着剤８が表出することとなり、その状態で貼付票７を戻せば配送物に貼着されるようになる。
なお、上記実施例では貼付票の上位に三種、四枚の帳票が綴じ合わされているが、本発明はこの実施例に限定されるものではない。
【００１７】
【発明の効果】
以上説明したように、本発明の配送伝票は、裏面全面に粘着剤を塗布して配送物に貼着される貼付票と、前記貼付票の粘着剤塗布面を剥離可能に覆う剥離台紙とを少なくとも備えているものであって、前記貼付票は表面側に配送情報記入部を有するとともに、該配送情報記入部の上下に上辺と下辺とに沿って一方の側辺に及ぶ切り取り用ミシン目を設け、前記剥離台紙には、表面側に貼付票の配送情報記入部に対応する配送情報記入部を有した受取票が、上記切り取り用ミシン目より上下辺側に対応位置して上記一方の側辺に及ぶ横線部と該横線部に連続する縦線部とからなる略コ字状の半切れ線に囲まれて区画形成され、受取票の配送情報記入部は、貼付票の配送情報記入部側からの記入情報が同時複写される複写構成を備えていて、前記剥離台紙における前記受取票の周りとなる前記半切れ線より外方の部分を取り除いたときに、前記受取票が前記切り取り用ミシン目の下位に位置した状態で貼付票の前記粘着剤塗布面に剥離可能に残存する構成としたことを特徴とするものである。
このように貼付票の裏面側に剥離可能にして受取票が配置されているため、従来の配送伝票のように受取確認専用の帳票を用意する必要がなく、また貼付票の粘着剤を覆っている剥離部材を受取票として利用できるため、経済的で配送伝票の素材コストを低減させることができるようになる。
【００１８】
そして、貼付票の配送情報記入部の上下に位置する切り取り用ミシン目の位置より、貼付票を区画形成する半切れ線が上辺側、および下辺側に寄っているため、貼付票の捲り上げ時に前記切り取り用ミシン目が容易に切断して捲り上げ易くなり、貼付票の剥ぎ取りが簡単になるなど、実用性に優れた効果を奏するものである。
【図面の簡単な説明】
【図１】  本発明に係る配送伝票の一実施例を分解状態で示す説明図である。
【図２】  一実施例を図１のＩＩ線方向の断面で示す説明図である。
【図３】  一実施例における貼付票と剥離台紙と受取票とを断面で示す説明図である。
【図４】  一実施例における貼付票の上面を示す説明図である。
【図５】  一実施例における貼付票と受取票との断面を図１のＶ線方向の断面で示す説明図である。
【図６】  受取票の取り外し状態を示す説明図である。
【図７】  従来例を分解した状態で示す説明図である。
【図８】  従来例を断面で示す説明図である。
【符号の説明】
１…配送伝票
７…貼付票
７ａ…配送情報記入部
１３…剥離台紙
１４…切り取り用ミシン目
１６…受取票
１６ａ…配送情報記入部
１７…半切れ線
【図１】
0003639878.tif 000002
【図２】
0003639878.tif 000003
【図３】
0003639878.tif 000004
【図４】
0003639878.tif 000005
【図５】
0003639878.tif 000006
【図６】
0003639878.tif 000007
【図７】
0003639878.tif 000008
【図８】
0003639878.tif 000009